(57)【要約】【課題】調味液封入袋を開封するときに手や衣服が汚れるのを防ぐことができ、調味液封入袋を容易に開封することができる調味液袋開封具を提供する。【解決手段】本体１１が、二つ折りにするための谷部２１と、調味液封入袋を両側から挟むよう谷部２１の両側に設けられた１対の挟持部２２とを有している。各開封部１２が、調味液封入袋を各挟持部２２の間に挟んで本体１１を谷部２１で折ったとき、本体１１の内側に互いにずれた位置で対向するよう設けられている。各開封部１２は、調味液封入袋に調味液の排出口を形成可能になっている。【選択図】図１
0003115851.tif 000002
【実用新案登録請求の範囲】
【請求項１】
調味液封入袋を開封するための調味液袋開封具であって、
本体と１対の開封部とを有し、
前記本体は二つ折りにするための谷部を有し、前記谷部の両側に前記調味液封入袋を両側から挟むための１対の挟持部を有し、
各開封部は前記調味液封入袋を各挟持部で挟んだとき互いに前記調味液封入袋を挟んで開封するようそれぞれ各挟持部に対向して設けられていることを、
特徴とする調味液袋開封具。
【考案の詳細な説明】
【技術分野】
【０００１】
本考案は、調味液封入袋を開封するための調味液袋開封具に関する。
【背景技術】
【０００２】
従来、弁当などに添付される調味液封入袋として、キャップ付きのポリ容器に入ったものや、ポリ袋に切れ目を入れたものが一般に知られている。
【考案の開示】
【考案が解決しようとする課題】
【０００３】
しかしながら、一般的な調味液封入袋では、袋を開封するときに、袋を外側から押してしまい、開封した穴から調味液が飛び散って手や衣服を汚しやすいという課題があった。また、袋に料理の油などが付いたときに、手がすべって開けにくいという課題もあった。
【０００４】
本考案は、このような従来の課題に着目してなされたもので、調味液封入袋を開封するときに手や衣服が汚れるのを防ぐことができ、調味液封入袋を容易に開封することができる調味液袋開封具を提供することを目的とする。
【課題を解決するための手段】
【０００５】
上記目的を達成するために、本考案に係る調味液袋開封具は、調味液封入袋を開封するための調味液袋開封具であって、本体と１対の開封部とを有し、前記本体は二つ折りにするための谷部を有し、前記谷部の両側に前記調味液封入袋を両側から挟むための１対の挟持部を有し、各開封部は前記調味液封入袋を各挟持部で挟んだとき互いに前記調味液封入袋を挟んで開封するようそれぞれ各挟持部に対向して設けられていることを、特徴とする。
【０００６】
本考案に係る調味液袋開封具は、醤油やソースなどの調味液が収納された調味液封入袋を開封するのに使用される。調味液封入袋を開封するときには、調味液封入袋を各挟持部の間に挟んで、本体を谷部で二つに折る。このとき、各開封部がそれぞれ各挟持部に対向して設けられているため、各開封部により本体の内側で調味液封入袋に調味液の排出口を形成することができる。本体を折るだけでは排出口が形成されにくいときには、本体の外側から各開封部の位置で調味液封入袋を押しつぶすようにしてもよい。排出口から排出された調味液は、本体を二つに折ったままの状態で、本体の内側の谷部を伝わって縁から外に出る。このため、調味液を食品や皿に注ぎやすい。
【０００７】
このように、本考案に係る調味液袋開封具は、調味液封入袋を挟むだけで容易に開封することができる。調味液は折った本体の内側で排出されるため、調味液封入袋を開封するときに調味液が飛び散らず、手や衣服が汚れるのを防ぐことができる。
【０００８】
各開封部は、例えば鋭利な刃や針先など、調味液封入袋に調味液の排出口を形成可能であればいかなるものであってもよい。また、排出口も、切れ目や穴など、調味液を排出可能であればいかなる形状のものが形成されてもよい。開封される調味液封入袋の中の調味液は、醤油やソースのほか、はちみつ、ジャム、その他、液状またはゲル状のいかなる食品であってもよい。
【考案の効果】
【０００９】
本考案によれば、調味液封入袋を開封するときに手や衣服が汚れるのを防ぐことができ、調味液封入袋を容易に開封することができる調味液袋開封具を提供することができる。
【考案を実施するための最良の形態】
【００１０】
以下、図面に基づき本考案の実施の形態について説明する。
図１および図２は、本考案の実施の形態の調味液袋開封具を示している。
図１に示すように、調味液袋開封具１０は、本体１１と１対の開封部１２とを有している。
【００１１】
図１（ａ）に示すように、本体１１は、矩形板状を成し、谷部２１と１対の挟持部２２とを有している。谷部２１は、本体１１の長さ方向の中央に、幅方向に沿って設けられている。本体１１は、谷部２１で二つ折り可能である。谷部２１の中央には、折れ線が設けられている。各挟持部２２は、矩形板状で、谷部２１の両側に設けられている。各挟持部２２は、調味液封入袋を両側から挟み込み可能になっている。
【００１２】
図１（ｂ）に示すように、各開封部１２は、プラスチック製で、矩形状の取付面２３と刃２４とを一体的に有している。刃２４は、取付面２３の反対面２５の一方の側部に沿って、反対面２５に対して垂直に伸びて設けられている。刃２４は、板状で扇形の形状を成し、先端２４ａが鋭利である。各開封部１２は、本体１１を谷部２１で折ったとき、刃２４の先端２４ａが本体１１の内側で互いに対向するよう、それぞれ各挟持部２２に設けられている。各開封部１２は、本体１１の、谷部２１の一端側を挟む位置に設けられている。各開封部１２は、それぞれの刃２４が互いに平行に配置されるよう、取付面２３を本体１１の内側の面１１ａに貼り付けてある。このように、各開封部１２は、調味液封入袋を各挟持部２２の間に挟んで本体１１を谷部２１で折ったとき、調味液封入袋に刃２４で切込みを入れて調味液の排出口を形成し、調味液封入袋を開封するようになっている。
【００１３】
次に、作用について説明する。
調味液袋開封具１０は、醤油やソースなどの調味液１が収納された調味液封入袋２を開封するのに使用される。調味液封入袋２を開封するときには、調味液封入袋２を各挟持部２２の間に挟んで、本体１１を谷部２１で二つに折る。このとき、図２（ａ）に示すように、各開封部１２の刃２４がそれぞれ各挟持部２２で対向して設けられているため、各開封部１２の刃２４により本体１１の内側で調味液封入袋２に切込みを入れ、調味液１の排出口を形成することができる。本体１１を折るだけでは排出口が形成されにくいときには、本体１１の外側から各開封部１２の位置に力を加えて、調味液封入袋２を押しつぶすようにしてもよい。それにより、さらに容易に排出口を形成することができる。
【００１４】
こうして、調味液袋開封具１０は、調味液封入袋２に収納された調味液１を、排出口から排出させて食品にかけたり皿に入れたりすることができる。このとき、図２（ｂ）に示すように、排出口から排出された調味液１は、本体１１を二つに折ったままの状態で、本体１１の内側の谷部２１を伝わって縁から出る。このため、調味液１を食品や皿に注ぎやすい。
【００１５】
このように、調味液袋開封具１０は、本体１１を二つに折るだけで調味液封入袋２を容易に開封することができる。また、調味液１は折った本体１１の内側で排出され、排出口の周囲が本体１１でカバーされるため、調味液封入袋２を開封するときに調味液１が飛び散らず、手や衣服が汚れるのを防ぐことができる。
【図面の簡単な説明】
【００１６】
【図１】本考案の実施の形態の（ａ）調味液袋開封具を示す平面図、（ｂ）調味液袋開封具の開封部の取付状態を示す拡大側面図である。
【図２】図１に示す調味液袋開封具の使用状態を示す（ａ）正面図、（ｂ）側面図である。
【符号の説明】
【００１７】
１    調味液
２    調味液封入袋
１０  調味液袋開封具
１１  本体
１２  開封部
２１  谷部
２２  挟持部
２３  取付面
２４  刃
【図１】
0003115851.tif 000003
【図２】
0003115851.tif 000004